(57)【要約】【課題】  使用者が便座に対して着座及び離座し易い便座装置を提供する。【解決手段】  温水洗浄便座装置１は、便器の上面後方に固定される便座装置本体３を備える。この便座装置本体３の両側部には、前方に突出するようにして一対の肘掛部８が一体的に、例えば樹脂による一体形成により設けられ、且つ、一方の肘掛部８には操作部９が設けられている。この両肘掛部８、８間は、突出基部８ａ側の内寸法Ｌ１よりも前方たる先端部８ｂ側の内寸法Ｌ２が大きくなるように設定されている。  この構成によれば、両肘掛部８、８間の内寸法は、前方たる先端部８ｂにおいて広く設定されているので、使用者の動作スペースを極力確保でき、肘掛部８、８が邪魔にならないので、使用者の着座及び離座が容易となる。【選択図】  図１
2006247181.tif 000002
【特許請求の範囲】
【請求項１】
便器の後側上部に固定される便座装置本体と、
この便座装置本体に回動可能に枢支された便座と、
前記便座装置本体の両側部に前方に突出するよう設けられた一対の肘掛部とを具備し、
前記肘掛部は便座装置本体と一体的に構成され、両肘掛部間は突出基部側よりも先端部側の内寸法が大きくなるように設定されていることを特徴とする便座装置。
【請求項２】
両肘掛部の先端部は、便座の先端部よりも後方に位置することを特徴とする請求項１記載の便座装置。
【請求項３】
便座への使用者の着座を検知する着座検知手段を備え、この着座検知手段は、一対の肘掛部の一方に発光部を設けるとともに他方に受光部を設けることで構成されていることを特徴とする請求項１又は２に記載の便座装置。
【請求項４】
便座装置本体用の操作部を少なくとも左右どちらかの肘掛部に設けたことを特徴とする請求項１乃至３の何れかに記載の便座装置。
【請求項５】
肘掛部の先端部に取手を設けたことを特徴とする請求項１乃至４の何れかに記載の便座装置。
【発明の詳細な説明】
【技術分野】
【０００１】
本発明は、トイレの便器に備え付けられる便座装置に関する。
【背景技術】
【０００２】
従来より、便器に備え付けられる便座装置において、この便座装置に肘掛部を組み付け、便器使用時に肘掛部に肘をかけた状態で用を足せるようにしたものが提案されている。さらに、この肘掛部の使い勝手を良好なものとする為、肘掛部、即ちアームレストが起立姿勢の非使用状態と水平姿勢の使用状態との間をモータによって回動駆動するように構成したものが供されている。（例えば、特許文献１参照）
【特許文献１】特開平１１−１０４０４１号公報
【発明の開示】
【発明が解決しようとする課題】
【０００３】
しかしながら、使用者が便座に対して着座若しくは離座をしようとする場合、アームレストの対向寸法が狭いため座りにくく立ちにくい構成となっていた。即ち、トイレ室の空間スペースは、一般的に狭いので、アームレスト間の間隔を広くとれないのである。このため、アームレスト間の内寸法が必然的に小さくなるので、アームレストが、使用者の着座及び離座の動作の邪魔になるのである。
【０００４】
本発明は上記事情に鑑みてなされたものであり、その目的は、使用者が便座に対して着座及び離座し易い便座装置を提供することにある。
【課題を解決するための手段】
【０００５】
上記目的を達成するために本発明は、
便器の後側上部に固定される便座装置本体と、
この便座装置本体に回動可能に枢支された便座と、
前記便座装置本体の両側部に前方に突出するよう設けられた一対の肘掛部とを具備し、
前記肘掛部は便座装置本体と一体的に構成され、両肘掛部間は突出基部側よりも先端部側の内寸法が大きくなるように設定されていることを特徴としている。
【０００６】
この構成によれば、両肘掛部間の内寸法は、前方たる先端部において広く設定されているので、使用者の動作スペースを極力確保でき、肘掛部が邪魔にならないので、使用者の着座及び離座が容易となる。
【発明の効果】
【０００７】
以上のように、本発明の便座装置によれば、使用者が便座に対して着座及び離座し易いという効果を得られる。
【発明を実施するための最良の形態】
【０００８】
＜第１実施例＞
以下、本発明を温水洗浄式便座装置に適用した第１実施例について図１乃至図４を参照して説明する。
図３は、温水洗浄便座装置及び便器の斜視図を示す。この図３に示すように、温水洗浄便座装置１は、便器２の後側上部に固定される便座装置本体３を備える。この便座装置本体３は、左右両側部に枢支部４を有し、この枢支部４には、便座５及び便蓋６がピン７（図１参照）により回動可能に枢支されている。更に、便座装置本体３の左右の両側部には、後述する一対の肘掛部８が便座装置本体３と一体的に、例えば樹脂による一体形成により形成され、且つ、一方の肘掛部８には操作部９が設けられている。便座装置本体３内には、図示はしないが、給水弁、給水されヒータにより加熱された温水を貯留するタンク、ポンプ及びノズル機構並びにこれらを制御する制御手段例えばマイクロコンピュータ等が配設されている。
操作部９の温水洗浄釦９ｃが操作されると、ポンプが駆動されてタンク内の温水が、ノズル１０（図４参照）に供給されて、この温水が、周知のように、ノズル１０から噴射されて使用者の局部を洗浄するようになっている。
【０００９】
ここで、図1は温水洗浄便座装置１の平面図、図２はその側面図を示す。尚、便蓋６は説明の便宜の為、図示を省略する。
前記便座５は便器２の上面部の形状に合わせて全体が略Ｏ字状をなし、その底面には適当個数、例えば４個の便座クッション１１（図２参照）が固着されている。
便座装置本体３と一体的に構成された前記肘掛部８は、便座装置本体３の両側部より前方に突出するよう設けられている。肘掛部８の上面１２ａは、上面から視れば、図１に示すように平坦面に形成され、側面から視れば、図２に示すように、突出基部８ａから前方たる先端部８ｂ側に至るまで緩やかに高くなる円弧面に形成されている。尚、先端部８ｂは円弧曲面状に面取りされた形状をなしている。
【００１０】
肘掛部８の下面１２ｂは、突出基部８ａより先端部８ｂ側に至るまで緩やかに高くなるように形成されている。そして、便器２の上面２ａ（図２参照）から肘掛部８の下面１２ｂの最上位までの高さ寸法Ｈは、例えば２００ｍｍに設定され、使用者が両肘掛部８、８の先端部８ｂ、８ｂの位置まで両足を開いても、その両足が肘掛部８の下面１２ｂに接触しないよう構成されている。
これにより、肘掛部８の上面１２ａと下面１２ｂとにより構成される肘掛部８の厚み寸法は、先端部８ｂより突出基部８ａに向うに従い大きくなり、且つ、肘掛部８の先端部８ｂは突出基部８ａよりも上方に位置するよう構成されている。
【００１１】
この肘掛部８の前後方向の長さ、即ち、温水洗浄便座装置１の後方の端面１ａから肘掛部８の先端部８ｂ側の端面８ｃまでの長さ寸法は例えば５００ｍｍ、一方、温水洗浄便座装置１の後方の端面１ａから便座５の先端部５ａの端面５ｂまでの長さ寸法は例えば５４０ｍｍに形成され、両肘掛部８，８の先端部８ｂは、便座５の先端部５ａよりも所定距離（例えば４０ｍｍ）後方に位置するよう設定されている。
【００１２】
両肘掛部８、８の内側面１３、１３は、図１で示されるように前方に向うに従って互いの離間距離が相対的に大きくなるようなハ字状をなしており、両肘掛部８、８の内側面１３、１３間の寸法、即ち、両肘掛部８、８間の内寸法は、突出基部８ａではＬ１（例えば４５０ｍｍ）、先端部８ｂではＬ２（例えば５１０ｍｍ）に形成され、突出基部８ａ側よりも前方たる先端部８ｂが大きくなる（Ｌ１＜Ｌ２）ように設定されている。
両肘掛部８、８間の外側面間の寸法、即ち両肘掛部８、８間の外寸法Ｌ３は、突出基部８ａ側と先端部８ｂ側とが等しく設定されて、両肘掛部８、８の外側面は平行になるように形成されている。外寸法Ｌ３は、トイレのスペースを考慮して例えば６１０ｍｍに設定されている。
【００１３】
肘掛部８の先端部８ｂには、略円柱状をなす取手１４が固着され、この取手１４の上部は略半球状に面取りされた形状をなしている。
図１に示すように、一方の肘掛部８の取手１４の若干後方の部位には、略矩形状をなす薄底の二個の凹部８ｄ、８ｅが、前後に隣接して設けられている。この前方の凹部８ｄの底面にはメイン操作部９ａが、後方の凹部８ｅの底面にはサブ操作部９ｂがそれぞれ設けられ、操作部９が構成されている。この場合、メイン操作部９ａ及びサブ操作部９ｂの各種操作釦は、各々凹部８ｄ、８ｅ内に位置して、上面１２ａから突出しないように設定されている。
【００１４】
着座検知手段たる透過型光電センサ１５（以下、着座センサ１５と称す）は、一対の肘掛部８の一方に発光部１５ａが設けられるとともに他方に受光部１５ｂが設けられることで構成される。具体的には、一方の肘掛部８の内側面１３に、発光部１５ａとして例えば赤外線発光ダイオードが、他方の肘掛部８の内側面１３に、発光部１５ａより投光された光を受光する受光部１５ｂとして例えばフォトトランジスタがそれぞれ配置されている。前述した温水による洗浄は、該着座センサ１５によって便座５への使用者の着座を検知し、且つメイン操作部９ａの温水洗浄釦９ｃが操作されることにより行なわれるよう構成されている。
【００１５】
次に、上記のように構成された温水洗浄便座装置１の作用について説明する。
まず、使用者は、通常、トイレのドアが便器２の左又は右方向側若しくは前方向側に設置される為、便器２の前方直近において体を９０°乃至１８０°転回させる。
この場合、両肘掛部８，８の先端部８ｂは、便座５の先端部５ａよりも例えば４０ｍｍ後方に位置し、且つ該先端部８ｂ、８ｂは円弧曲面状に形成されている。よって、便器２の前方において使用者の邪魔にならないようスペースが極力確保されるので、使用者の体の転回の妨げとならない。
【００１６】
使用者の便座５への着座は、各使用者によって様々である。例えば、両肘掛部８、８の取手１４、１４を握りつつ着座する場合、両手で一方の肘掛部８に体重をかけつつ着座する場合等が考えられる。これら何れの場合であっても、両肘掛部８、８間の内寸法は、突出基部８ａ側の内寸法Ｌ１よりも前方たる先端部８ｂ側の内寸法Ｌ２が例えば６０ｍｍ大きくなるように設定されているため、両肘掛部８、８が使用者の邪魔にならないようにスペースが極力確保されるので、使用者の便座５への着座はスムーズに行なわれる。
【００１７】
使用者が便座５に着座すると、着座センサ１５の発光部１５ａと受光部１５ｂとの間に使用者の腰乃至大腿部が位置するようになる。これにより、発光部１５ａと受光部１５ｂとの間の光が遮られ、着座センサ１５は便座５への使用者の着座を検知する。使用者が、この状態で用を足した後、操作部９の温水洗浄釦９ｃを操作すると、着座センサ１５は使用者の着座を検知しているので、温水が、ノズル１０から噴射されて使用者の局部を洗浄する。その後、使用者が操作部９の温水洗浄釦９ｃを再度操作すると。ノズル１０からの温水の噴射は停止される。
そして、使用者の離座は、着座の場合と同様、各使用者によって様々である。例えば、使用者が両手で一方の肘掛部８のみに体重をかけて離座する場合であっても、他方の肘掛部８が使用者の動作の妨げとならないよう、両肘掛部８、８の前方のスペースが極力確保されているので、使用者の離座はスムーズに行なわれる。
【００１８】
以上のように本実施例によれば、両肘掛部８、８の内寸法Ｌ２を含む寸法及びその先端部８ｂ、８ｂの形状は、使用者の動作スペースを極力確保できるよう構成されているので、肘掛部８、８が使用者の邪魔にならず、使用者の着座及び離座が容易となる。
また、肘掛部８の厚み寸法及び幅寸法は、先端部８ｂより突出基部８ａに向うに従い大きくなり、且つ、肘掛部８の先端部８ｂは突出基部８ａよりも上方に位置するよう構成されている。これにより、肘掛部８の先端部８ｂの幅寸法をコンパクトにしつつ、肘掛部８の強度を極力確保することができる。
【００１９】
さらに、使用者が両肘掛部８、８の先端部８ｂ、８ｂの位置まで両足を開いても、その両足が肘掛部８の下面１２ｂに接触しないよう構成されているので、着座している使用者の動作スペースを極力確保できる。
また、一対の肘掛部８、８は、便座装置本体３と樹脂による一体形成により形成されるので、強度を確保でき、同時に部品点数を抑えることができるので製造コストを抑えることができる。
【００２０】
取手１４が、肘掛部８の先端部８ｂに設けられることで、使用者は取手１４を握りつつ便座５に着座及び離座することができるので、使用者の着座及び離座が容易となる。
ところで、着座を検出する従来の光電スイッチを利用した着座センサは、発光部と受光部とが一つのユニットとして一体となった反射型のものが使用される。このものによれば、発光部から投光された検出光が使用者の衣服により反射されて、その反射光を受光部が受光することにより使用者の着座を検出する構成であるので、前記衣服の色、材質、凹凸等により適当な反射光が得られず、検出精度に問題が生じていた。
【００２１】
これに対して、本実施例によれば、発光部１５ａにより投光された検出光（赤外線）が使用者の便座５への着座により遮断されることをもって着座検出を行なうので、検出精度は問題とならず、正確な検出が可能となる。
また、着座センサ１５を構成する発光部１５ａ及び受光部１５ｂは対向した状態で肘掛部８、８に配設され、これらの肘掛部８、８は便座装置本体３と樹脂による一体形成により形成される。これにより、両肘掛部８，８間にズレが生じることは無いので、検出光を投光する発光部１５ａ及び検出光を受光する受光部１５ｂに光軸のズレが生じることは無く、確実に使用者の便座５への着座を検出できる。
【００２２】
便座装置本体３用の操作部９は、一方の肘掛部８の取手１４の若干後方、即ち肘掛部８の前方たる先端部８ｂ側に位置させて設けられている。これにより、使用者が特別動作をせずに座ったまま、その視野内で操作部９（９ａ、９ｂ）を判別して操作することができる。また、操作部９は使用者が肘をかけた状態で前腕の前方に位置し、且つ略矩形状をなす薄底の凹部８ｄ、８ｅの底面に設けられることで、使用者が肘をかけた状態で操作部９の各種の操作釦に触れないように構成されているので、使用者が誤って操作部９の操作釦を押すことを極力防止できる。
また、操作部９は、便器２の上面２ａより例えば２００ｍｍ以上上方に位置しているので、男性の小用時の小水の跳ね返りが操作部９にかかることはなく、操作部９の汚れを防止することができる。
【００２３】
＜第２実施例＞
図５は、本発明の第２実施例を示すものであり、第１実施例と異なるところを説明する。尚、第１実施例と同一部分には同一符号を付している。
肘掛部８の先端部８ｂは、図５に示すように、円弧曲面状に面取りされた形状をなし、この曲率半径は第１実施例の先端部８ｂの曲率半径よりも大きく形成されている。先端部８ｂには、これと同曲率半径を有する取手取付板１６が、螺子（図示せず）により着脱可能に取り付けられる。さらに、取手取付板１６の曲面上には取手１７が固着されている。従って、取手１７は、前方斜めの上方に突出した形態になる。
【００２４】
このような構成によれば、先端部８ｂ及び取手取付板１６には緩やかな曲面に形成されるので、より握り易くなる。取手１７は、この曲面上に固着されることで傾いて形成されるので、より握り易くなる。使用者は、このような先端部８ｂ又は取手１７を握りつつ便座５に着座及び離座することができるので、使用者の着座及び離座が容易となる。
【００２５】
＜第３実施例＞
図６乃至図１０は、本発明の第３実施例を示すものであり、第１実施例と異なるところを説明する。図６はヘルスメータ及びマットと共に示す便座装置及び便器の斜視図、図７はヘルスメータ及びマットの斜視図、図８は、生体情報検出システムの電気的構成を示すブロック図、図９は生体情報検出の処理内容を示すフローチャート、図１０は表示器における表示例を示す。尚、第１実施例と同一部分には同一符号を付している。
【００２６】
肘掛部８の先端部８ｂには、図６に示すようにキノコ状をなす取手１９を有する電極板１８が取り付けられている。一方の肘掛部８の電極板１８には、取手１９の若干後方に位置して略楕円状をなす二個の電極２０、２１（通電用電極２０、計測用電極２１）が左右に隣接して設けられている。これと同様に、他方の肘掛部８の電極板１８にも電極２２、２３（通電用電極２２、計測用電極２３）とが配設され、これら電極２０，２１、２２、２３により上半身インピーダンス測定部を構成している。これらの電極２０乃至２３は、使用者が人差し指と中指との間で取手１９の下部の径小部を挟んだ時、該電極２０乃至２３が手の平の中に納まって手の平と電極２０乃至２３との間に安定的な接触状態が得られるようになっている。電極板１８は着脱可能に構成されており、螺子（図示せず）により肘掛部８の先端部８ｂに取り付けられている。
【００２７】
さらに、操作部９を有しない肘掛部８の先端部８ｂの若干後方の部位には、液晶型の表示器３８が設けられている。また、図示はしないが、便座装置本体３の内部には、電極２０、２２間に所定の電流を供給する定電流供給回路と電極２１、２３間に発生する電圧を測定する発生電圧測定回路を備えている。
【００２８】
便器２の前側下部には、矩形状をなすヘルスメータ２４が設けられ、このヘルスメータ２４は円弧状の切欠部２９を有するマット３０により覆われている。
図７（ｂ）に、内部に重量センサ３７（図８参照）を備えたヘルスメータ２４を示す。略矩形状をなすヘルスメータ２４の上面の左部及び右部には、一対の電極２５、２６及び一対の電極２７、２８がそれぞれ上方へ突出するように設けられ、これらにより下半身インピーダンス測定部を構成している。各電極２５乃至２８は半長円形状に構成されており、一対に組み合わせたときに長円形状となるように配置されている。電極２５乃至２８は、使用者が便座５に着座したとき、使用者の両足の足裏にぴったり納まって足裏と電極２５乃至２８との間に安定的な接触状態が得られるようになっている。尚、２５、２７は通電用電極、２６、２８は計測用電極を示すものであり、図示は省略するが、便座装置本体３の内部には、電極２５、２７間に所定の電流を供給する定電流供給回路と電極２６、２８間に発生する電圧を測定する発生電圧測定回路を備えている。そこで、便座装置本体３とヘルスメータ２４との間にケーブル２４ａを配し、電流の供給や、データの伝達が可能となるよう構成されている。
【００２９】
矩形状をなすマット３０は、洗濯が可能で且つ抗菌性材質のもので構成されている。マット３０の左部及び右部には、前記電極２５乃至２８と同じ形状の四つの挿通孔３１が設けられている。各挿通孔３１に電極２５乃至２８を挿通させたとき、各挿通孔３１と前記電極２５乃至２８との間に隙間が生じないように挿通孔３１の内周には図示しないゴム製のシール材が配設されている。
【００３０】
続いて、生体情報検出システムの電気的構成を説明する。
図８に示すように、生体情報検出システム３２は、ＲＯＭ３３、ＲＡＭ３４，不揮発性メモリ３６を有する制御手段たるマイクロコンピュータ３５を中心に構成され、このマイクロコンピュータ３５に操作部９（スタート釦９ｄ、中止釦９ｅ）、重量センサ３７、着座センサ１５、通電用電極２０、２２、２６、２８、計測用電極２１、２３、２６、２８、表示器３８が接続されている。
【００３１】
ＲＯＭ３３には生体情報を検出するための各部の動作を制御するプログラムが記憶されており、マイクロコンピュータ３５は制御プログラムに基づいて後述の処理動作を実行する。ＲＡＭ３４は、該プログラム実行時の制御プログラム及び処理データなどが一時的に格納されるようになっており、不揮発性メモリ３６には、使用者の身長、年齢、性別等の個人データなどが格納されている。
【００３２】
次に、本実施例の作用について図９のフローチャートを参照しながら説明する。
最初に、使用者がヘルスメータ２４の上に立つことにより重量センサ３７がオンすると、マイクロコンピュータ３５は動作を開始（スタート）する。このマイクロコンピュータ３５は、まず、ステップＳ１に移行し、重量センサ３７の測定データ（実際には、使用者の体重に比例した値）の読み込みを行なう。そして、マイクロコンピュータ３５は、ステップＳ２において、演算処理により、前記測定データから体重を演算するとともに、ＢＭＩも演算する。ここで、ＢＭＩ（Body Mass Index）は、体重Ｗｔ（Ｋｇ）、身長Ｌ（ｍ）とした場合、以下の式で算出される。
ＢＭＩ＝Ｗｔ／Ｌ2・・・（１）
マイクロコンピュータ３５は、体重及びＢＭＩを、ステップＳ３において、前記ＲＡＭ３４及び不揮発性メモリ３６に格納する。
【００３３】
マイクロコンピュータ３５は、次にステップＳ４に移行し、ここでは、ＲＡＭ３４に記憶された体重及びＢＭＩを表示器３８に表示させる（図１０参照）。更に、マイクロコンピュータ３５は、ステップＳ５に移行して、着座センサ１５が着座を検出したか（使用者が便座５に着座したか）否かを判断し、「ＮＯ」（着座していない）のときには、ステップＳ６に移行する。マイクロコンピュータ３５は、ステップＳ６では操作部９の中止釦９ｅが操作されたか否かを判断し、「ＮＯ」（非操作）のときにはステップＳ５に戻り、「ＹＥＳ」（操作）のときには動作を終了（エンド）する。即ち、この場合には、表示器８には、使用者の体重とＢＭＩのみが表示されたことになる。
【００３４】
マイクロコンピュータ３５は、ステップＳ５、Ｓ６を繰返しているときに、使用者が便座５に着座したときには、ステップＳ５で「ＹＥＳ」と判断して、ステップＳ７に移行し、下半身インピーダンス測定を行なう。マイクロコンピュータ３５は、まず、使用者の足裏が接触した状態の電極２５、２７間に微弱な一定電流を供給し、使用者の両足間に電流路を形成する。これにより電極２６、２８間に使用者の下半身インピーダンスからなる生体インピーダンスに応じた電圧が発生し、その電圧が発生電圧測定回路によって測定される。測定された電圧値は、図示しない増幅回路にて増幅され、Ａ／Ｄ変換される。以上の動作は、実際にはマイクロコンピュータ３５が実行する。
【００３５】
そして、ステップＳ８において、マイクロコンピュータ３５は演算処理により下半身体脂肪率を演算する。この下半身体脂肪率は、電極２６、２８間に発生した電圧値及び電極２５、２７間に供給された電流値に基づき下半身インピーダンス値を算出し、この下半身インピーダンス値及び必要に応じて使用者の個人データから演算される。マイクロコンピュータ３５は、このようにして演算した下半身体脂肪率を、ステップＳ９において、ＲＡＭ３４及び不揮発性メモリ３６に格納する。
【００３６】
マイクロコンピュータ３５は、ステップＳ１０において、ステップＳ３及びステップＳ９でＲＡＭ３４に格納されたデータ、即ち、体重、ＢＭＩ及び下半身体脂肪率を表示器３８に表示させる（図１０参照）。
続いて、マイクロコンピュータ３５は、ステップＳ１１に移行し、着座センサ１５により離座を検出したか否かを判断する。ここで、着座センサ１５がオフして、使用者が便座５から離座した（Ｓ１１；ＹＥＳ）と判断すると、プログラムは終了（エンド）する。
【００３７】
これに対し、マイクロコンピュータ３５は、着座センサ１５の信号により、使用者が便座５から離座していない（Ｓ１１；ＮＯ）と判断すると、ステップＳ１２に移行して、スタート釦９ｄがオンされたか否かを判断する。マイクロコンピュータ３５は、ここで、スタート釦９ｄがオフ（Ｓ１２；ＮＯ）と判断すると、ステップＳ１１に戻る。これに対し、マイクロコンピュータ３５はスタート釦９ｄがオン（Ｓ１２；ＹＥＳ）と判断すると、ステップＳ１３に移行して上半身インピーダンス測定を行なう。マイクロコンピュータ３５は、まず、使用者の手の平が接触した状態の電極２０、２２間に微弱な一定電流を供給し、電極２１、２３間に発生する使用者の上半身インピーダンスからなる生体インピーダンスに応じた電圧を検出する。
【００３８】
マイクロコンピュータ３５は、ステップＳ１４において、全身インピーダンス測定を行なう。マイクロコンピュータ３５は、まず、電極２０、２１に使用者の手の平が接触した状態で載せられ、且つ電極２７、２８に使用者の足裏が接触した状態で載せられていることを前提として、電極２０、２７間に微弱な一定電流を供給し、電極２１、２８間に発生する使用者の全身インピーダンスからなる生体インピーダンスに応じた電圧を検出する。
【００３９】
そして、ステップＳ１５において、マイクロコンピュータ３５は演算処理により上半身及び全身の体脂肪率を演算する。上半身の体脂肪率は、上半身に発生した電圧値及び電極２０、２２間に供給された電流値に基づき上半身インピーダンス値を算出し、この上半身インピーダンス値及び必要に応じて使用者の個人データから演算される。全身の体脂肪率は、全身に発生した電圧値及び電極２０、２７間に供給された電流値に基づき全身インピーダンス値を算出し、この全身インピーダンス値及び必要に応じて使用者の個人データから演算される。
【００４０】
マイクロコンピュータ３５は、このようにして演算した上半身及び全身の体脂肪率を、ステップＳ１６において、ＲＡＭ３４及び不揮発性メモリ３６に格納する。
マイクロコンピュータ３５は、ステップＳ１７において、ステップＳ３、ステップＳ９及びステップＳ１６でＲＡＭ３４に格納されたデータ、即ち、体重及びＢＭＩ並びに下半身、上半身及び全身の体脂肪率を表示器３８に表示させる。このときの表示器３８における表示例を図１０に示す。
【００４１】
続いて、マイクロコンピュータ３５は、ステップＳ１８へ移行し、着座センサ１５により離座を検出したか否かを判断する。ここで、マイクロコンピュータ３５は、着座センサ１５の信号により使用者が離座した（Ｓ１８；ＹＥＳ）と判断すると、プログラムは終了する（エンド）。これに対し、マイクロコンピュータ３５は、着座センサ１５の信号により使用者が離座していない（Ｓ１８；ＮＯ）と判断すると、ステップＳ１８において離座の有無を再び判断し、使用者が便座５から離座した（Ｓ１８；ＹＥＳ）と判断するまで、離座の有無の判断を繰り返す。
【００４２】
尚、本実施例では、不揮発性メモリ３６には複数日分（例えば七日分或いは十日分）の体脂肪データを順次更新記憶させておいて、操作部９の適宜の操作釦を操作することにより不揮発性メモリ３６から体脂肪データを読み出して表示器３８に表示させるように構成されている。
この場合に、マイクロコンピュータ３５にカレンダー機能をもたせて、不揮発性メモリ３６に体脂肪データを日時とともに長期間に亘って記憶可能とし、これを前述したようにして表示器３８に表示できるようにしてもよく、又は、マイクロコンピュータ３５にプリンタを接続可能にして一覧表としてプリントアウトできるようにしてもよい。
【００４３】
以上のように本実施例によれば、使用者は、人差し指と中指との間で取手１９の下部の径小部を挟むだけで上半身インピーダンス測定部の手の位置決めが可能となるので、上半身若しくは全身インピーダンス値の測定が容易となる。下半身インピーダンス測定部は、使用者が便座５に着座したとき、使用者の両足の足裏にぴったり納まるよう構成されているので、下半身若しくは全身インピーダンス値の測定が容易となる。これにより、トイレのスペース及び用を足す時間を有効に活用しつつ、容易に体重、ＢＭＩ及び体脂肪率を測定することができる。
【００４４】
また、使用者は、取手１９を握りつつ便座５に着座及び離座することができるので、使用者の着座及び離座が容易となる。
マット３０は、洗濯が可能で且つ抗菌性材質のもので構成されているので、マット３０を清潔に保つことができる。また、マット３０の各挿通孔３１と電極２５乃至２８との間に隙間が生じないようにゴム製のシール材が配設されているので、ヘルスメータ２４がごみや水滴等で汚れないようにすることができる。さらに、前記電極２５乃至２８を各挿通孔３１に挿通させることでマットがずれないよう、位置決めすることができる。
【００４５】
尚、本発明は、上記し、且つ図面に示す実施例にのみ限定されるものではなく、次のような変形、拡張が可能である。
本発明は、温水洗浄式便座装置１に限られず、暖房機能を備えた便座装置等、便座装置全般に適用できるものである。
さらに、第２実施例では、着脱可能に構成された肘掛部８の先端部８ｂ及び取手取付板１６は、円弧曲面状に面取りされた形状をなし、この曲面上に取手１７が固着されるようにしたが、これに限定されるものではない。即ち、先端部８ｂの該曲面上に取手１７を設けないパネルを他に用意し、使用者の好みにより、選択的に取り付けることができるように構成してもよい。
【００４６】
また、第３実施例では、着脱可能に構成された電極板１８には、キノコ状をなす取手１９が固着されるとともに、上半身インピーダンス測定部を設けるようにしたが、これに限定されるものではない。即ち、上半身インピーダンス測定部がないパネルを他に用意し、これを着脱可能に構成することで、該測定機能を有しない温水洗浄便座装置に代替可能となり、部品の多くを共有できるので、製造コストを抑えることができる。
【００４７】
さらに、第３実施例において、各挿通孔３１に電極２５乃至２８を挿通させることによりマットの位置決めを行なったが、これに加えて、補助的に面状ファスナ（マジックテープ）（登録商標）等により位置決めをおこなってもよい。
また、第３実施例において、操作部９及び表示器３８に代えて、操作部９と表示器３８の機能を兼ねるタッチパネルを一方の肘掛部８に設けるように構成してもよい。
【図面の簡単な説明】
【００４８】
【図１】本発明の第１実施例を示すもので、便座装置の平面図
【図２】便座装置の側面図
【図３】便座装置及び便器の斜視図
【図４】便蓋を使用状態に回動させた状態の図３相当図
【図５】本発明の第２実施例を示す図３相当図
【図６】本発明の第３実施例を示すもので、ヘルスメータ及びマットと共に示す図３相当図
【図７】ヘルスメータ及びマットの斜視図
【図８】生体情報検出システムの電気的構成を示す図
【図９】生体情報検出の処理内容を示すフローチャート
【図１０】表示器における表示例を示す図
【符号の説明】
【００４９】
図面中、１は温水洗浄便座装置、２は便器、３は便座装置本体、５は便座、５ａは先端部、８は肘掛部、８ａは突出基部、８ｂは先端部、９は操作部、９ａはメイン操作部、９ｂはサブ操作部、１４は取手、１５は着座センサ（着座検知手段）、１５ａは発光部、１５ｂは受光部、１７は取手、１９は取手を示す。
【図１】
2006247181.tif 000003
【図２】
2006247181.tif 000004
【図３】
2006247181.tif 000005
【図４】
2006247181.tif 000006
【図５】
2006247181.tif 000007
【図６】
2006247181.tif 000008
【図７】
2006247181.tif 000009
【図８】
2006247181.tif 000010
【図９】
2006247181.tif 000011
【図１０】
2006247181.tif 000012